(57)【要約】【課題】ライブ演奏のように楽曲のテンポの変動があっても、楽曲の流れにあわせた歌詞テロップを表示することのできる技術を提供する。【解決手段】映像表示装置１０の歌詞データ記憶領域１２１には、複数のブロックに区分されるとともに、区分された各ブロックの再生開始タイミングを示す同期情報を含む歌詞データが記憶されている。制御部１１は、撮影部１８から出力される映像信号に基づいて、歌唱者の唇の動きを検出する。制御部１１は、歌詞データを構成する各ブロックのそれぞれについて、同期情報によって示される各ブロックの再生タイミングとのずれが予め定められた範囲内であるタイミングであって、かつ、歌唱者の口の動きの検出が開始されたタイミングで、該ブロックの歌詞の映像を表す歌詞映像データの生成を開始する。制御部１１は、歌詞映像データを撮影された映像を表す映像データと合成して表示部１３に出力する。【選択図】図１
2008180793.tif 000002
【特許請求の範囲】
【請求項１】
楽曲の歌詞を表す歌詞データであって複数のブロックに区分された歌詞データを記憶する記憶手段と、
歌唱者の映像を含む映像データを取得する映像データ取得手段と、
前記映像データ取得手段により取得された映像データから前記歌唱者の唇の動きを検出する検出手段と、
前記記憶手段から前記歌詞データを読み出し、読み出した歌詞データの示す歌詞の映像を表す歌詞映像データを生成する歌詞映像データ生成手段であって、前記検出手段によって前記歌唱者の唇の動きの検出が開始される毎に、前記歌詞映像データの生成を前記ブロック毎に開始する歌詞映像データ生成手段と、
前記歌詞映像データ生成手段により生成された歌詞映像データを出力する出力手段と
を具備することを特徴とするデータ再生装置。
【請求項２】
請求項１に記載のデータ再生装置において、
前記歌詞データは、複数のブロックに区分されるとともに、区分された各ブロックの再生開始タイミングを示す同期情報を含み、
前記歌詞映像データ生成手段は、前記各ブロックのそれぞれについて、同期情報によって示される各ブロックの再生開始タイミングとのずれが予め定められた範囲内であるタイミングであって、かつ、前記検出手段によって前記歌唱者の唇の動きの検出が開始されたタイミングで、該ブロックの歌詞の映像を表す歌詞映像データの生成を開始する
ことを特徴とするデータ再生装置。
【請求項３】
請求項１又は２に記載のデータ再生装置において、
前記出力手段は、前記映像データ取得手段により取得された映像データと、前記歌詞映像データ生成手段によって生成された歌詞映像データとを出力する
ことを特徴とするデータ再生装置。
【請求項４】
請求項３に記載のデータ再生装置において、
前記映像データ取得手段により取得された映像データを予め定められた時間だけ遅延させる遅延手段を備え、
前記出力手段は、前記遅延手段により遅延された映像データと、前記歌詞映像データ生成手段によって生成された歌詞映像データとを出力する
ことを特徴とするデータ再生装置。
【請求項５】
請求項１乃至４のいずれかに記載のデータ再生装置において、
音声を表す第１の音声データを記憶する第１の音声データ記憶手段と、
音声を表す第２の音声データを取得する音声データ取得手段と、
前記音声データ取得手段により取得された第２の音声データと前記第１の音声データ記憶手段に記憶された前記第１の音声データとを所定時間長のフレーム単位で対応付けるタイムアライメント手段とを備え、
前記歌詞映像データ生成手段は、前記タイムアライメント手段による対応付け結果に応じたタイミングで、前記ブロック毎の歌詞の映像を表す歌詞映像データを生成する
ことを特徴とするデータ再生装置。
【発明の詳細な説明】
【技術分野】
【０００１】
本発明は、データを再生する技術に関する。
【背景技術】
【０００２】
カラオケ装置は、歌詞テロップを画面に表示するとともに、そのテロップを伴奏に合わせて順番に色変わりさせていく機能を備えている。カラオケ装置は、このような機能により、正しい歌詞を正しいタイミングで発音するように歌唱者に案内することができる。また、歌詞テロップの表示は、カラオケ装置だけでなく、テレビ放送などにおける歌番組においても用いられている。
【０００３】
ところで、動画像と音声のずれの補正処理を行う技術として、特許文献１には、動画像の中の音の発生を示す画像を画像分析して、第１の音の発生タイミングを検出し、音声から第２の音の発生タイミングを検出し、第１の音の発生タイミングと第２の音の発生タイミングに基づき音声と動画像のずれを測定し、測定結果分、音声を遅延させる技術が提案されている。
【特許文献１】特開２０００−１９６９１７号公報
【発明の開示】
【発明が解決しようとする課題】
【０００４】
ところで、カラオケ装置によるカラオケ伴奏は常に一定のテンポで再生される一方、テレビ放送などの歌番組においてライブ演奏（生演奏）が行われる場合には、その時々によって演奏のテンポは異なることが多い。そのため、カラオケ装置で用いられている歌詞テロップデータをテレビ放送で用いると、歌詞テロップと実際の歌唱映像との間に時間的なずれが生じ、不自然になってしまう。一般的には、テレビ放送においては、楽曲の進行に合わせて歌詞テロップの表示をオペレータが手動で切り換えており、その作業は煩雑である。特許文献１に記載の技術では、動画像と音声のずれを補正することはできるものの、歌詞テロップの表示タイミングをライブ演奏に合わせて補正することはできない。
本発明は、このような事情に鑑みてなされたものであり、歌詞テロップの表示タイミングを映像にあわせることのできる技術を提供することを目的とする。
【課題を解決するための手段】
【０００５】
本発明の好適な態様であるデータ再生装置は、楽曲の歌詞を表す歌詞データであって複数のブロックに区分された歌詞データを記憶する記憶手段と、歌唱者の映像を含む映像データを取得する映像データ取得手段と、前記映像データ取得手段により取得された映像データから前記歌唱者の唇の動きを検出する検出手段と、前記記憶手段から前記歌詞データを読み出し、読み出した歌詞データの示す歌詞の映像を表す歌詞映像データを生成する歌詞映像データ生成手段であって、前記検出手段によって前記歌唱者の唇の動きの検出が開始される毎に、前記歌詞映像データの生成を前記ブロック毎に開始する歌詞映像データ生成手段と、前記歌詞映像データ生成手段により生成された歌詞映像データを出力する出力手段とを具備することを特徴とする。
【０００６】
上述した態様において、前記歌詞データは、複数のブロックに区分されるとともに、区分された各ブロックの再生開始タイミングを示す同期情報を含み、前記歌詞映像データ生成手段は、前記各ブロックのそれぞれについて、同期情報によって示される各ブロックの再生開始タイミングとのずれが予め定められた範囲内であるタイミングであって、かつ、前記検出手段によって前記歌唱者の唇の動きの検出が開始されたタイミングで、該ブロックの歌詞の映像を表す歌詞映像データの生成を開始してもよい。
【０００７】
また、上述した態様において、前記出力手段は、前記映像データ取得手段により取得された映像データと、前記歌詞映像データ生成手段によって生成された歌詞映像データとを出力してもよい。
また、上述した態様において、前記映像データ取得手段により取得された映像データを予め定められた時間だけ遅延させる遅延手段を備え、前記出力手段は、前記遅延手段により遅延された映像データと、前記歌詞映像データ生成手段によって生成された歌詞映像データとを出力してもよい。
【０００８】
また、上述した態様において、音声を表す第１の音声データを記憶する第１の音声データ記憶手段と、音声を表す第２の音声データを取得する音声データ取得手段と、前記音声データ取得手段により取得された第２の音声データと前記第１の音声データ記憶手段に記憶された前記第１の音声データとを所定時間長のフレーム単位で対応付けるタイムアライメント手段とを備え、前記歌詞映像データ生成手段は、前記タイムアライメント手段による対応付け結果に応じたタイミングで、前記ブロック毎の歌詞の映像を表す歌詞映像データを生成してもよい。
【発明の効果】
【０００９】
本発明によれば、歌詞テロップの表示タイミングを映像にあわせることができる。
【発明を実施するための最良の形態】
【００１０】
次に、この発明を実施するための最良の形態を説明する。
図１は、この発明の一実施形態である映像表示装置１０のハードウェア構成を示すブロック図である。図において、制御部１１は、ＣＰＵ（Central Processing Unit）やＲＯＭ（Read Only Memory）、ＲＡＭ（Random Access Memory）を備え、ＲＯＭ又は記憶部１２に記憶されているコンピュータプログラムを読み出して実行することにより、バスＢＵＳを介して映像表示装置１０の各部を制御する。記憶部１２は、制御部１１によって実行されるコンピュータプログラムやその実行時に使用されるデータを記憶するための記憶手段であり、例えばハードディスク装置である。表示部１３は、液晶パネルなどを備え、制御部１１の制御の下で、映像表示装置１０を操作するためのメニュー画面や、ライブ映像などの動画像を表示する。操作部１４は、利用者による操作に応じた操作信号を制御部１１に出力する。マイクロホン１５は、歌唱者の歌唱音声（以下「入力音声」という）を収音する収音機器である。マイクロホン１５は、入力音声の時間軸上における波形を表すアナログの電気信号を出力する。音声処理部１６は、マイクロホン１５から入力される電気信号をデジタル信号（以下「入力音声信号」という）に変換する。また、音声処理部１６は、制御部１１の制御の下、デジタルデータをアナログ信号に変換してスピーカ１７に出力する。スピーカ１７は、音声処理部１６でデジタルデータからアナログ信号に変換され出力される音声信号に応じた強度で放音する放音手段である。撮影部１８は、歌唱者を撮影し、撮影した映像を表す映像データを制御部１１に出力する。
【００１１】
なお、この実施形態では、マイクロホン１５とスピーカ１７とが映像表示装置１０に含まれている場合について説明するが、音声処理部１６に入力端子及び出力端子を設け、オーディオケーブルを介してその入力端子に外部マイクロホンを接続する構成としても良く、同様に、オーディオケーブルを介してその出力端子に外部スピーカを接続するとしても良い。また、この実施形態では、マイクロホン１５から音声処理部１６へ入力される音声信号及び音声処理部１６からスピーカ１７へ出力される音声信号がアナログ音声信号である場合について説明するが、デジタル音声データを入出力するようにしても良い。このような場合には、音声処理部１６にてＡ／Ｄ変換やＤ／Ａ変換を行う必要はない。表示部１３、操作部１４、撮影部１８についても同様であり、映像表示装置１０に内蔵される形式であってもよく、外付けされる形式であってもよい。
【００１２】
記憶部１２は、図示のように、歌詞データ記憶領域１２１を有している。歌詞データ記憶領域１２１には、歌詞テロップとして表示される楽曲の歌詞を表す歌詞データが記憶されている。図２は、歌詞データの内容の一例を示す図である。歌詞データは、図示のように、楽曲の歌詞を示しているテキストデータ、歌詞の改行を示す改行データ、及び歌詞の一文字ごとにワイプ開始タイミングを示すワイプ開始タイミングデータを有している。そして、映像表示装置１０によって再生され、画面に歌詞テロップが表示されているときは、歌詞の１文字は対応するワイプ開始タイミングになると当該文字の左側から色を変化させ始めて、次の文字ワイプ開始タイミングに達すると、その文字全体について色の変化が完了するよう色替え制御される。この場合、ワイプ開始タイミングデータは、改行データにも設けられており、一行の最後に表示される文字については、当該文字のワイプ開始タイミングデータと改行データのワイプ開始タイミングデータの時間間隔が、当該文字の色替え時間となる。各文字の色が変化するスピードは、文字の横方向のドット数と色替え時間（当該文字のワイプ開始タイミングと次の文字のワイプ開始タイミング時間差）から決定される。
各文字は色替え時間内で色が変化する。そして、この図においては、最初の文字のワイプ開始タイミングはｗｔ１、次の文字はｗｔ２となり、以下順次ｗｔ３…となっている。
【００１３】
また、この実施形態では、歌詞データは、複数のブロックＢ１，Ｂ２，…（Ａメロ、Ｂメロ、サビ…等）に区分されており、区分された各ブロックＢ１，Ｂ２，…の先頭部分を示すブロック開始データｂ１，ｂ２，…を有している。各ブロックの先頭部分のワイプ開始タイミングｗｔ１，ｗｔ１１，…は、各ブロックの再生開始タイミングを示す情報であり、以下では、説明の便宜上、これらを「同期情報」と称する。
【００１４】
次に、映像表示装置１０の機能的構成について、図３を参照しつつ説明する。図３は、映像表示装置１０の機能的構成を示すブロック図である。図において、ビデオ解析部１１１，カラオケ歌詞生成部１１２，ビデオ再生部１１３は、映像表示装置１０の制御部１１がＲＯＭ又は記憶部１２に記憶されたコンピュータプログラムを読み出して実行することにより実現される。なお、図中の矢印はデータの流れを概略的に示すものである。なお、この実施形態ではビデオ解析部１１１やカラオケ歌詞生成部１１２はソフトウェアとして実現されるが、これに限らず、ハードウェアによって実現される構成としてもよい。
【００１５】
図３において、ビデオ解析部１１１は、撮影部１８から映像データを取得し、取得した映像データから歌唱者の唇の動きを検出する機能を有する。ビデオ解析部１１１は、撮影部１８から出力される映像信号を解析して顔検出処理を行い、検出結果に基づいて歌唱者の唇の動きを検出する。顔検出処理は、例えば肌色検出を行うとともに撮影された映像を予め定められたパターンの画像と照合し、その一致度に基づいて顔部分を検出してもよい。なお、顔検出処理の態様はこれに限らず、歌唱者の顔部分を検出できる態様であればどのようなものであってもよい。ビデオ解析部１１１は、検出した顔部分の画像に基づいて、歌唱者の唇の動きを検出し、検出結果を示すパラメータをカラオケ歌詞生成部１１２に出力する。唇の動きの検出処理は、いわゆる「リップシンク」と呼ばれる手法を用いればよく、この手法はビデオ編集等において従来用いられている手法であるため、ここではその詳細な説明を省略する。
【００１６】
カラオケ歌詞生成部１１２は、楽曲を構成する各ブロックのそれぞれについて、同期情報によって示される各ブロックの再生タイミングとのずれが予め定められた範囲内であるタイミングであって、かつ、歌唱者の唇の動きの検出が開始されたタイミングで、ブロックの歌詞の映像（以下「歌詞映像」という）を表す歌詞映像データの生成を開始する。
【００１７】
ここで、カラオケ歌詞生成部１１２が行う処理の具体例について、図４を参照しつつ以下に説明する。図４に示す例においては、カラオケ歌詞生成部１１２は、同期情報（ワイプ開始タイミングｗｔ１の示す時刻の所定時間Ｔ１前から、所定時間Ｔ２後までの間において、ビデオ解析部１１１が歌唱者の唇の動きの検出が開始されるのを待機する。ここで、図４に示すように、時刻（ｗｔ１＋Δｔ）において、歌唱者の唇の動きの検出が開始されると、ビデオ解析部１１１は、検出結果を示すデータをカラオケ歌詞生成部１１２に供給し、カラオケ歌詞生成部１１２は、ビデオ解析部１１１から供給されるデータに基づいて、ワイプ開始情報ｗｔ１に対応するブロック（図２に示す例ではブロックＢ１）の歌詞データから歌詞テロップを表す歌詞映像データの生成を開始する。
【００１８】
制御部１１は、図４に示す例では、時刻（ｗｔ１+Δｔ）から、ブロックＢ１に対応する歌詞テロップの表示を開始し、歌詞データに含まれる各文字のワイプ開始タイミングｗｔ１，ｗｔ２，ｗｔ３，…に基づいて、時刻（ｗｔ１＋Δｔ），（ｗｔ２＋Δｔ），（ｗｔ３＋Δｔ），…に歌詞テロップのワイプ処理を行う。なお、図４の説明においてはブロックＢ１についてのみ説明したが、他のブロックＢ２，…もこれと同様である。すなわち、制御部１１は、それぞれのブロックに対応する同期情報（ワイプ開始タイミング）とのずれが予め定められた範囲内である時刻において歌唱者の唇の動きの検出が開始されたときから、そのブロックの歌詞テロップの表示及びワイプ処理を開始する。
なお、この実施形態では、制御部１１は、歌詞テロップのワイプ処理を行うが、必ずしもワイプ処理を行う必要はなく、ワイプ処理を行わない構成としてもよい。この場合は、歌詞を所定単位毎に表示してもよい。
【００１９】
カラオケ歌詞生成部１１２は、生成した歌詞映像データをビデオ再生部１１３に順次供給する。ビデオ再生部１１３は、撮影部１８から供給される映像データの表す映像に対して、カラオケ歌詞生成部１１２から供給される歌詞映像データの表す歌詞映像をスーパーインポーズした合成映像データを生成して表示部１３へ出力する。
【００２０】
このようにして、表示部１３には合成映像データが出力され、スピーカ１７にはマイクロホン１５で収音された歌唱音声が出力されることにより、この実施形態に係る映像表示装置１０は、撮影された映像に対して時間同期、すなわち楽曲の進行に合わせた歌詞映像が合成された映像と楽曲とを再生することができる。
【００２１】
ところで、図４に示す例においては、ブロックＢ１について、歌唱者の実際の発音開始タイミング（ｗｔ１＋Δｔ）と歌詞データの再生開始タイミングｗｔ１とは、時間Δｔだけずれが生じている。そのため、歌詞データに含まれる同期情報をそのまま用いて歌詞テロップと表示させた場合には、ブロックＢ１については、歌唱者の発音開始タイミングと歌詞データの再生開始タイミングとに時間Δｔだけずれが生じることとなり、表示が不自然になってしまう。これに対しこの実施形態では、歌唱者の唇の動きを検出し、歌詞テロップの表示開始タイミングを唇の動きを検出したタイミングに補正するから、歌唱者の歌唱開始タイミングと歌詞テロップの表示開始タイミングとを同期させることができ、表示が不自然になるのを防ぐことができる。
【００２２】
ところで、ライブ演奏（生演奏）が行われる場合には、テンポのずれが生じることが多いものの、そのずれは若干のずれ（例えば、２〜５秒程度）であることが多い。この実施形態では、同期情報によって示される各ブロックの再生開始とのずれが所定範囲内（図４に示す所定時間Ｔ１，Ｔ２）において歌唱者の唇の動きが検出されたタイミングで、該ブロックの歌詞の映像を表す歌詞映像データの生成を開始するから、若干のタイミングのずれを補正することができ、異なるブロックを誤って読み出してしまう等の不具合を防ぐことができる。
【００２３】
＜変形例＞
以上、本発明の実施形態について説明したが、本発明は上述した実施形態に限定されることなく、他の様々な形態で実施可能である。以下にその一例を示す。なお、以下の各態様を適宜に組み合わせてもよい。
（１）上述した実施形態では、制御部１１は、撮影部１８から出力される映像データを取得する構成としたが、これに限らず、映像データを、ハードディスク等の記憶手段から読み出す構成としてもよく、また、映像表示装置１０の通信部を設け、通信ネットワークを介して映像データを受信する構成としてもよい。要するに、制御部１１が映像データを取得する態様であればどのようなものであってもよい。
【００２４】
（２）上述した実施形態では、制御部１１は、歌詞テロップをスーパーインポーズした映像データを表示部１３に出力する構成とした。映像データの出力先は表示部１３に限らず、例えば、映像表示装置１０に通信部を設ける構成とし、通信ネットワークを介して接続さされた他の装置へ、該通信部を介して映像データを出力する構成としてもよい。また、例えば、映像データをハードディスク等の記憶手段に記憶させる構成としてもよい。要するに、制御部１１が映像データを出力する態様であればどのようなものであってもよい。
【００２５】
（３）上述した実施形態において、取得された映像データを予め定められた時間だけ遅延させる遅延部を備える構成とし、制御部が、遅延部によって遅延された映像データと歌詞映像データとを出力する構成としてもよい。具体的には、例えば、遅延部は、映像データと楽音データとに所定時間の遅延処理を行って出力し、制御部が、所定遅延処理が施された映像データに歌詞映像データをスーパーインポーズして出力してもよい。
このとき、所定時間は、上述したカラオケ歌詞生成部１１２が映像データを取得してから歌詞映像データを出力するまでの処理に必要な時間を設定してもよい。このようにすると、遅延部から出力された楽音データ及び映像データと、カラオケ歌詞生成部１１２から出力された歌詞映像データは時間同期したものとなる。
また、所定時間は上述したものに限らず、歌詞のワイプ開始タイミングを実際に歌うタイミングよりも少し早めに設定するための時間を含むようにしてもよい。このようにすれば、歌唱者の歌唱開始タイミングの所定時間前に、歌詞テロップの表示及びワイプが開始されるから、視聴者は、歌詞のタイミングをより好適に把握することが可能となる。
【００２６】
（４）上述した実施形態では、映像を解析した歌唱者の唇の動きを検出することによって、歌唱者の歌唱のタイミングを検出した。これに加えて、収音された音声を表す音声データを音声解析し、解析結果に応じて歌詞テロップの再生タイミングを補正する構成としてもよい。具体的には、例えば、記憶部１２に楽曲の見本となる音声や伴奏を含む演奏を録音した音声データであってその再生時刻を示すタイムコードが付されている音声データ（以下「第１の音声データ」という）を予め記憶する構成とする。そして、制御部１１は、第１の音声データとマイクロホン１５から入力される音声データ（以下「第２の音声データ」という）とを所定時間長のフレーム単位で対応付けるタイムアライメント処理を行い、対応付け結果に応じて第１の音声データと第２の音声データとの時間的なずれを検出し、検出したずれが解消されるように歌詞映像データの生成タイミングを補正する。このようにすれば、映像の解析結果に加えて、音声の解析結果を用いて歌詞テロップの表示タイミングを補正するから、歌詞テロップの表示タイミングの補正の精度をより高くすることができる。
【００２７】
（５）上述した実施形態では、映像表示装置を本発明に係るデータ再生装置として適用したが、データ再生装置として適用される装置は映像表示装置に限らず、例えば、テレビ放送の放送局に設置された専用のコンピュータ装置や、パーソナルコンピュータ、移動体通信端末など、様々な装置が本発明に係るデータ再生装置として適用可能である。
【００２８】
（６）上述した実施形態では、歌唱者の唇の動きと歌詞テロップとを同期させる場合を例に挙げて説明したが、歌唱に限らず、楽器の演奏動作を検出してもよい。この場合は、例えば、歌詞データに代えて、楽曲の楽譜を表すデータを記憶させておき、制御部１１は、演奏者の演奏動作を検出し、演奏動作が検出されたタイミングで楽譜の表示を開始させてもよい。この場合は、楽譜データの表す楽譜の画像と演奏者の映像とを同期させることができる。このように、本発明にいう「音声」には、人間が発生した音声や楽器の演奏音といった種々の音響が含まれる。
【００２９】
（７）上述した実施形態では、制御部１１は、各ブロックのそれぞれについて、同期情報によって示される各ブロックの再生タイミングとのずれが予め定められた範囲内であるタイミングであって、かつ、歌唱者の口の動きの検出が開始されたタイミングで、該ブロックの歌詞の映像を表す歌詞映像データの生成を開始した。歌詞映像データの生成を開始するタイミングはこれに限らず、例えば、歌詞データを予め複数のブロックＢ１，Ｂ２，…（図２参照）に区分しておき、歌唱者の唇の動きの検出が開始されたタイミングで、ブロック毎の歌詞映像データの生成を開始してもよい。この場合は、歌詞映像データの生成の対象となるブロックを、唇の動きの検出が開始される毎に、順番に切り換えていけばよい。なお、この態様では、歌詞データに同期情報が含まれている必要はなく、歌詞データが複数のブロックに区分されていればよい。この場合も、歌唱者の歌唱の開始タイミングと歌詞テロップの表示開始タイミングとを同期させることができるから、表示が不自然になるのを防ぐことができる。
【００３０】
上述した実施形態では、歌詞データがＡメロ、Ｂメロ、サビ、…等のブロックに区分されている場合について説明したが、区分されるブロックの単位はこれに限定されるものではなく、例えば、１フレーズ単位や、１小節単位でブロックに区分してもよく、歌詞データが複数のブロックに区分される態様であればどのようなものであってもよい。
【００３１】
上述した実施形態では、制御部１１は、歌唱者の唇の動きの検出が開始されたタイミングで、ブロックの歌詞の映像を表す歌詞映像データの生成を開始し、これにより、歌詞テロップの表示と映像データの示す映像の表示とを同期させた。歌詞テロップと映像とを同期させる態様はこれに限らず、例えば、歌詞映像データを予め生成して記憶しておく構成とし、歌唱者の唇の動きの検出が開始されたタイミングで、ブロックの歌詞の映像を表す映像データを読み出して表示手段に出力する構成としてもよい。
【００３２】
（８）上述した実施形態では、データ再生装置は、取得された（撮影された映像を表す）映像データに歌詞映像を表す歌詞映像データをスーパーインポーズした映像データを出力する構成としたが、これに限らず、データ再生装置は、歌詞映像データのみを出力する構成としてもよい。具体的には、例えば、接続された外部の表示機器に、映像に合わせたタイミングで歌詞映像データを出力する構成とし、その外部の表示機器が、撮影された映像を表す映像データと歌詞映像データとを合成して出力する構成としてもよい。
【００３３】
（９）上述した実施形態では、映像表示装置１０が、同実施形態に係る機能の総てを実現するようになっていた。これに対し、通信ネットワークで接続された２以上の装置が上記機能を分担するようにし、それら複数の装置を備えるシステムが同実施形態の映像表示装置１０を実現してもよい。例えば、唇の動きを検出する機能や歌詞テロップ画像を生成する機能等を備える専用のコンピュータ装置と、表示部やスピーカを備える端末装置とが、ネットワークで接続されたシステムとして構成されていてもよい。
【００３４】
（１０）上述した映像表示装置１０の制御部１１によって実現されるプログラムは、磁気テープ、磁気ディスク、フレキシブルディスク、光記録媒体、光磁気記録媒体、ＲＡＭ、ＲＯＭなどの記録媒体に記憶した状態で提供し得る。また、インターネットのようなネットワーク経由で映像表示装置１０にダウンロードさせることも可能である。
【図面の簡単な説明】
【００３５】
【図１】映像表示装置の構成の一例を示すブロック図である。
【図２】歌詞データの内容の一例を示す図である。
【図３】映像表示装置の機能的構成の一例を示すブロック図である。
【図４】歌詞映像データの生成タイミングを説明するための図である。
【符号の説明】
【００３６】
１０…映像表示装置、１１…制御部、１２…記憶部、１３…表示部、１４…操作部、１５…マイクロホン、１６…音声処理部、１７…スピーカ、１８…撮影部、１１１…ビデオ解析部、１１２…カラオケ歌詞生成部、１１３…ビデオ再生部、１２１…歌詞データ記憶領域。
【図１】
2008180793.tif 000003
【図２】
2008180793.tif 000004
【図３】
2008180793.tif 000005
【図４】
2008180793.tif 000006